【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
無線回線を介して携帯端末を接続する複数の無線基地局と、
予め蓄積されている蓄積コンテンツのうちから任意のコンテンツを選択して前記携帯端末へ配信するコンテンツ配信装置と、
前記無線基地局に関連付けられている関連コンテンツを前記携帯端末へ配信するための配信依頼を、前記コンテンツ配信装置へ通知する配信中継装置と
を備え、
前記配信中継装置は、
前記無線基地局から通知された、前記携帯端末に関する端末識別情報および電波強度と前記無線基地局の基地局識別情報との組からなる電波強度情報を記憶部に登録する電波強度登録部と、
前記無線基地局を介して受信した前記携帯端末からのＨＴＴＰリクエストに含まれる、前記携帯端末の端末識別情報および前記無線基地局の基地局識別情報に基づいて、これら端末識別情報および基地局識別情報と対応する電波強度を前記記憶部から取得し、得られた電波強度と予め設定されている基準強度とを比較することにより前記関連コンテンツの配信可否を判定する配信判定部と、
前記配信判定部により前記関連コンテンツの配信可と判定された場合に、前記関連コンテンツを前記携帯端末へ配信するための配信依頼を、前記コンテンツ配信装置へ通知するとともに、前記コンテンツ配信装置から配信された前記関連コンテンツを、前記無線基地局を介して前記携帯端末へ転送する配信中継部と
を含み、
前記コンテンツ配信装置は、前記配信中継装置からの前記配信依頼に応じて、前記蓄積コンテンツのうちから前記無線基地局に関連付けられている関連コンテンツを選択して、前記配信中継装置へ配信する配信制御部を含む
ことを特徴とするコンテンツ配信システム。
【請求項２】
請求項１に記載のコンテンツ配信システムにおいて、
前記配信中継装置は、前記ＨＴＴＰリクエストを受信した際、前記ＨＴＴＰリクエストに対するＨＴＴＰレスポンスの送信を一時保留するＷＥＢ処理部をさらに含み、
前記配信判定部は、前記ＨＴＴＰレスポンスの送信保留中に前記無線基地局から通知された前記携帯端末に関する前記電波強度について、前記基準強度と比較することにより前記関連コンテンツの配信可否を判定し、前記配信依頼に応じて前記コンテンツ配信装置から配信された前記関連コンテンツを、前記ＨＴＴＰレスポンスとして前記無線基地局を介して前記携帯端末へ転送する
ことを特徴とするコンテンツ配信システム。
【請求項３】
請求項２に記載のコンテンツ配信システムにおいて、
前記ＷＥＢ処理部は、ＨＴＴＰレスポンスの送信保留中、前記ＨＴＴＰレスポンスに代えてコンテンツを含まない空データを、前記無線基地局を介して前記携帯端末へ配信する
ことを特徴とするコンテンツ配信システム。
【請求項４】
請求項１に記載のコンテンツ配信システムにおいて、
前記配信中継装置は、前記携帯端末が前記無線回線を介して前記無線基地局に接続した後に初めて前記携帯端末から送信された第１のＨＴＴＰリクエストを受信した際、前記携帯端末に対して予め設けたコンテンツ配信用ＷＥＢ画面への接続切替を送信するＷＥＢ処理部をさらに含み、
前記配信判定部は、前記接続切替に応じて前記携帯端末から送信された第２のＨＴＴＰリクエストの受信に応じて、前記携帯端末に関する前記電波強度と前記基準強度とを比較することにより前記関連コンテンツの配信可否を判定する
ことを特徴とするコンテンツ配信システム。
【請求項５】
請求項１に記載のコンテンツ配信システムにおいて、
前記配信中継部は、前記配信判定部により前記関連コンテンツの配信可と判定された場合に、前記関連コンテンツを前記携帯端末へ配信するための配信依頼を、前記携帯端末から前記コンテンツ配信装置へ通知させるために、前記携帯端末へ命令し、前記携帯端末から受信した配信依頼を中継して前記コンテンツ配信装置へ通知する
ことを特徴とするコンテンツ配信システム。
【請求項６】
無線基地局と無線回線を介して接続する携帯端末へ、当該無線基地局に関連付けられている関連コンテンツを配信するための配信依頼を、コンテンツ配信装置へ通知する配信中継装置であって、
前記無線基地局から通知された、前記携帯端末に関する端末識別情報および電波強度と前記無線基地局の基地局識別情報との組からなる電波強度情報を記憶部に登録する電波強度登録部と、
前記無線基地局を介して受信した前記携帯端末からのＨＴＴＰリクエストに含まれる、前記携帯端末の端末識別情報および前記無線基地局の基地局識別情報に基づいて、これら端末識別情報および基地局識別情報と対応する電波強度を前記記憶部から取得し、得られた電波強度と予め設定されている基準強度とを比較することにより前記関連コンテンツの配信可否を判定する配信判定部と、
前記配信判定部により前記関連コンテンツの配信可と判定された場合に、前記関連コンテンツを前記携帯端末へ配信するための配信依頼を、前記コンテンツ配信装置へ通知するとともに、前記コンテンツ配信装置から配信された前記関連コンテンツを、前記無線基地局を介して前記携帯端末へ転送する配信中継部と
を備えることを特徴とする配信中継装置。
【請求項７】
無線回線を介して携帯端末を接続する複数の無線基地局と、予め蓄積されている蓄積コンテンツのうちから任意のコンテンツを選択して前記携帯端末へ配信するコンテンツ配信装置と、前記無線基地局に関連付けられている関連コンテンツを前記携帯端末へ配信するための配信依頼を、前記コンテンツ配信装置へ通知する配信中継装置とを含むコンテンツ配信システムで用いられるコンテンツ配信方法であって、
前記配信中継装置の電波強度登録部が、前記無線基地局から通知された、前記携帯端末に関する端末識別情報および電波強度と前記無線基地局の基地局識別情報との組からなる電波強度情報を記憶部に登録する電波強度登録ステップと、
前記配信中継装置の配信判定部が、前記無線基地局を介して受信した前記携帯端末からのＨＴＴＰリクエストに含まれる、前記携帯端末の端末識別情報および前記無線基地局の基地局識別情報に基づいて、これら端末識別情報および基地局識別情報と対応する電波強度を前記記憶部から取得し、得られた電波強度と予め設定されている基準強度とを比較することにより前記関連コンテンツの配信可否を判定する配信判定ステップと、
前記配信中継装置の配信中継部が、前記配信判定ステップにより前記関連コンテンツの配信可と判定された場合に、前記関連コンテンツを前記携帯端末へ配信するための配信依頼を、前記コンテンツ配信装置へ通知するとともに、前記コンテンツ配信装置から配信された前記関連コンテンツを、前記無線基地局を介して前記携帯端末へ転送する配信中継ステップと、
前記コンテンツ配信装置の配信制御部が、前記配信中継装置からの前記配信依頼に応じて、前記蓄積コンテンツのうちから前記無線基地局に関連付けられている関連コンテンツを選択して、前記配信中継装置へ配信する配信制御ステップと
を備えることを特徴とするコンテンツ配信方法。
【請求項８】
請求項７に記載のコンテンツ配信方法において、
前記配信中継装置のＷＥＢ処理部が、前記ＨＴＴＰリクエストを受信した際、前記ＨＴＴＰリクエストに対するＨＴＴＰレスポンスの送信を一時保留するＷＥＢ処理ステップをさらに備え、
前記配信判定ステップは、前記ＨＴＴＰレスポンスの送信保留中に前記無線基地局から通知された前記携帯端末に関する前記電波強度について、前記基準強度と比較することにより前記関連コンテンツの配信可否を判定し、前記配信依頼に応じて前記コンテンツ配信装置から配信された前記関連コンテンツを、前記ＨＴＴＰレスポンスとして前記無線基地局を介して前記携帯端末へ転送する
ことを特徴とするコンテンツ配信方法。
【請求項９】
請求項８に記載のコンテンツ配信方法において、
前記ＷＥＢ処理ステップは、ＨＴＴＰレスポンスの送信保留中、前記ＨＴＴＰレスポンスに代えてコンテンツを含まない空データを、前記無線基地局を介して前記携帯端末へ配信する
ことを特徴とするコンテンツ配信方法。
【請求項１０】
請求項７に記載のコンテンツ配信方法において、
前記配信中継装置のＷＥＢ処理部が、前記携帯端末が前記無線回線を介して前記無線基地局に接続した後に初めて前記携帯端末から送信された第１のＨＴＴＰリクエストを受信した際、前記携帯端末に対して予め設けたコンテンツ配信用ＷＥＢ画面への接続切替を送信するＷＥＢ処理ステップをさらに備え、
前記配信判定ステップは、前記接続切替に応じて前記携帯端末から送信された第２のＨＴＴＰリクエストの受信に応じて、前記携帯端末に関する前記電波強度と前記基準強度とを比較することにより前記関連コンテンツの配信可否を判定する
ことを特徴とするコンテンツ配信方法。
【請求項１１】
請求項７に記載のコンテンツ配信方法において、
前記配信中継ステップは、前記配信判定ステップにより前記関連コンテンツの配信可と判定された場合に、前記関連コンテンツを前記携帯端末へ配信するための配信依頼を、前記携帯端末から前記コンテンツ配信装置へ通知させるために、前記携帯端末へ命令し、前記携帯端末から受信した配信依頼を中継して前記コンテンツ配信装置へ通知する
ことを特徴とするコンテンツ配信方法。
【請求項１２】
無線基地局と無線回線を介して接続する携帯端末へ、当該無線基地局に関連付けられている関連コンテンツを配信するための配信依頼を、コンテンツ配信装置へ通知する配信中継装置で用いられるコンテンツ配信中継方法であって、
電波強度登録部が、前記無線基地局から通知された、前記携帯端末に関する端末識別情報および電波強度と前記無線基地局の基地局識別情報との組からなる電波強度情報を記憶部に登録する電波強度登録ステップと、
配信判定部が、前記無線基地局を介して受信した前記携帯端末からのＨＴＴＰリクエストに含まれる、前記携帯端末の端末識別情報および前記無線基地局の基地局識別情報に基づいて、これら端末識別情報および基地局識別情報と対応する電波強度を前記記憶部から取得し、得られた電波強度と予め設定されている基準強度とを比較することにより前記関連コンテンツの配信可否を判定する配信判定ステップと、
配信中継部が、前記配信判定部により前記関連コンテンツの配信可と判定された場合に、前記関連コンテンツを前記携帯端末へ配信するための配信依頼を、前記コンテンツ配信装置へ通知するとともに、前記コンテンツ配信装置から配信された前記関連コンテンツを、前記無線基地局を介して前記携帯端末へ転送する配信中継ステップと
を備えることを特徴とするコンテンツ配信中継方法。
【請求項１３】
無線基地局と、
前記無線基地局と接続されている携帯端末と、
前記無線基地局に関連付けられている関連コンテンツを、前記携帯端末へ配信する配信中継装置と、
を含むコンテンツ配信システムであって、
前記無線基地局の基地局識別情報、基準電波強度に関する情報、およびコンテンツ識別情報の組を記憶する記憶手段と、
前記無線基地局から、当該無線基地局の基地局識別情報および当該無線基地局で検出された前記携帯端末の電波強度に関する情報を受信する受信手段と、
前記受信された前記無線基地局おける前記電波強度に関する情報と、当該無線基地局の基地局識別情報に対応付けられて記憶されている前記基準電波強度に関する情報とに基づき前記コンテンツ識別情報を抽出し、前記携帯端末へ配信する関連コンテンツを特定する配信判定手段と、
を備えることを特徴とするコンテンツ配信システム。
【請求項１４】
無線基地局に関連付けられている関連コンテンツを、前記無線基地局と接続されている携帯端末へ配信する配信中継装置であって、
前記無線基地局の基地局識別情報、基準電波強度に関する情報、およびコンテンツ識別情報の組を記憶する記憶部と、
前記無線基地局から、当該無線基地局の基地局識別情報および当該無線基地局で検出された前記携帯端末の電波強度に関する情報を受信するインターフェース部と、
前記受信された前記無線基地局おける前記電波強度に関する情報と、当該無線基地局の基地局識別情報に対応付けられて記憶されている前記基準電波強度に関する情報とに基づき前記コンテンツ識別情報を抽出し、前記携帯端末へ配信する関連コンテンツを特定する配信判定部と、
を備えることを特徴とする配信中継装置。
【請求項１５】
請求項１４に記載の配信中継装置であって、
前記記憶部は、１の基地局識別情報につき複数の基準電波強度およびコンテンツ識別情報の組を記憶することを特徴とする配信中継装置。
【請求項１６】
無線基地局に関連付けられている関連コンテンツを、前記無線基地局と接続されている携帯端末へ配信する配信中継装置で用いられるコンテンツ配信中継方法であって、
記憶部が、前記無線基地局の基地局識別情報、基準電波強度に関する情報、およびコンテンツ識別情報の組を記憶する記憶ステップと、
インターフェース部が、前記無線基地局から、当該無線基地局の基地局識別情報および当該無線基地局で検出された前記携帯端末の電波強度に関する情報を受信する受信ステップと、
配信判定部が、前記受信された前記無線基地局おける前記電波強度に関する情報と、当該無線基地局の基地局識別情報に対応付けられて記憶されている前記基準電波強度に関する情報とに基づき前記コンテンツ識別情報を抽出し、前記携帯端末へ配信する関連コンテンツを特定する配信判定ステップと
を備えることを特徴とするコンテンツ配信中継方法。
【請求項１７】
コンピュータを、請求項６または請求項１４に記載の配信中継装置を構成する各部として機能させるためのプログラム。
【手続補正２】
【補正対象書類名】明細書
【補正対象項目名】発明の名称
【補正方法】変更
【補正の内容】
【発明の名称】コンテンツ配信システム、配信中継装置、コンテンツ配信方法、およびコンテンツ配信中継方法、並びにプログラム
【手続補正３】
【補正対象書類名】明細書
【補正対象項目名】００１８
【補正方法】変更
【補正の内容】
【００１８】
また、本発明にかかるコンテンツ配信中継方法は、無線基地局と無線回線を介して接続する携帯端末へ、当該無線基地局に関連付けられている関連コンテンツを配信するための配信依頼を、コンテンツ配信装置へ通知する配信中継装置で用いられるコンテンツ配信中継方法であって、電波強度登録部が、無線基地局から通知された、携帯端末に関する端末識別情報および電波強度と無線基地局の基地局識別情報との組からなる電波強度情報を記憶部に登録する電波強度登録ステップと、配信判定部が、無線基地局を介して受信した携帯端末からのＨＴＴＰリクエストに含まれる、携帯端末の端末識別情報および無線基地局の基地局識別情報に基づいて、これら端末識別情報および基地局識別情報と対応する電波強度を記憶部から取得し、得られた電波強度と予め設定されている基準強度とを比較することにより関連コンテンツの配信可否を判定する配信判定ステップと、配信中継部が、配信判定部により関連コンテンツの配信可と判定された場合に、関連コンテンツを携帯端末へ配信するための配信依頼を、コンテンツ配信装置へ通知するとともに、コンテンツ配信装置から配信された関連コンテンツを、無線基地局を介して携帯端末へ転送する配信中継ステップとを備えている。
また、本発明にかかる他のコンテンツ配信システムは、無線基地局と、前記無線基地局と接続されている携帯端末と、前記無線基地局に関連付けられている関連コンテンツを、前記携帯端末へ配信する配信中継装置と、を含むコンテンツ配信システムであって、前記無線基地局の基地局識別情報、基準電波強度に関する情報、およびコンテンツ識別情報の組を記憶する記憶手段と、前記無線基地局から、当該無線基地局の基地局識別情報および当該無線基地局で検出された前記携帯端末の電波強度に関する情報を受信する受信手段と、前記受信された前記無線基地局おける前記電波強度に関する情報と、当該無線基地局の基地局識別情報に対応付けられて記憶されている前記基準電波強度に関する情報とに基づき前記コンテンツ識別情報を抽出し、前記携帯端末へ配信する関連コンテンツを特定する配信判定手段と、を備えている。
また、本発明にかかる他の配信中継装置は、無線基地局に関連付けられている関連コンテンツを、前記無線基地局と接続されている携帯端末へ配信する配信中継装置であって、前記無線基地局の基地局識別情報、基準電波強度に関する情報、およびコンテンツ識別情報の組を記憶する記憶部と、前記無線基地局から、当該無線基地局の基地局識別情報および当該無線基地局で検出された前記携帯端末の電波強度に関する情報を受信するインターフェース部と、前記受信された前記無線基地局おける前記電波強度に関する情報と、当該無線基地局の基地局識別情報に対応付けられて記憶されている前記基準電波強度に関する情報とに基づき前記コンテンツ識別情報を抽出し、前記携帯端末へ配信する関連コンテンツを特定する配信判定部と、を備えている。
この際、前記記憶部が、１の基地局識別情報につき複数の基準電波強度およびコンテンツ識別情報の組を記憶するようにしてもよい。
また、本発明にかかる他のコンテンツ配信中継方法は、無線基地局に関連付けられている関連コンテンツを、前記無線基地局と接続されている携帯端末へ配信する配信中継装置で用いられるコンテンツ配信中継方法であって、記憶部が、前記無線基地局の基地局識別情報、基準電波強度に関する情報、およびコンテンツ識別情報の組を記憶する記憶ステップと、インターフェース部が、前記無線基地局から、当該無線基地局の基地局識別情報および当該無線基地局で検出された前記携帯端末の電波強度に関する情報を受信する受信ステップと、配信判定部が、前記受信された前記無線基地局おける前記電波強度に関する情報と、当該無線基地局の基地局識別情報に対応付けられて記憶されている前記基準電波強度に関する情報とに基づき前記コンテンツ識別情報を抽出し、前記携帯端末へ配信する関連コンテンツを特定する配信判定ステップとを備えている。
また、本発明にかかるプログラムは、コンピュータを、前述した配信中継装置を構成する各部として機能させるためのプログラムである。